Podtech/llm-jp-corpus-v4-ja_patent huggingface dataset:
(57)【要約】      （修正有）【課題】トレッキングや登山で休息をとるときに硬い石や岩のところに腰かけたりするためクッションを携帯する場合、鞄やリュックサック等に入れてもかさばらない携帯用クッションを提供する。【解決手段】同じ大きさの２つの板５、６を柔軟性のあるシート２の上に少し間隔をあけて接着し、一方の板の上に伸縮性に富んだスポンジ性のクッション材１を取り付け、他方の板には、「てこ」の原理を使ってその中のスポンジ性のクッション材を挟み込み、固定することができるようバックル３のついたバンド４を取り付けたことを特徴とする。【選択図】図１
0003197447.tif 000002
【実用新案登録請求の範囲】
【請求項１】
同じ大きさと形をした２つの板を少し間隔をあけて柔軟性のあるシートの上に接着し、接続する。一方の板の上に伸縮性に富んだスポンジ性のクッション材を取り付け、他方の板を「てこ」の原理を使ってその中のスポンジ性のクッション材を挟み込み、圧力を加えた状態を保ったまま閉じて固定することができるようバックルのついたバンドを取り付けたことを特徴とする携帯用クッション。
【考案の詳細な説明】
【技術分野】
【０００１】
本考案は、主としてトレッキングや登山で使用するための携帯用クッションに関する。
【背景技術】
【０００２】
トレッキングや登山の場合、休息をとるため硬い石や岩のところに腰かけたりすることが多い。そのようなときに携帯用のコンパクトなクッションがあれば非常に便利である。先行文献としては特許文献１，２に示すように持ち運びがコンパクトになるように、折畳み式にするタイプのものと特許文献３に示すように使用時に空気を入れて膨らますタイプのものがある。
【先行技術文献】
【特許文献】
【０００３】
【特許文献１】特開平８−２８０４８６
【特許文献２】登録実用新案第３１６９７０４号
【特許文献３】実用新案公開平５−４３９５０
【考案の概要】
【考案が解決しようとする課題】
【０００４】
トレッキングや登山で休息をとるときに硬い石や岩のところに腰かけたりするためのクッションを携帯する場合、鞄やリュックサック等に入れると非常にかさばるという不便さがある。
これを解消するため特許文献１，２に示すように折畳み式のタイプの携帯用クッションや特許文献３に示すように空気を入れて膨らますタイプのものが提案されている。しかし、前者は折畳むだけで全体の体積そのものは何の変化もなく、かさばるという問題の解決にはならない。一方、後者はかさばらなくて済むもののクッション性が損なわれるうえ、空気をその都度出し入れする必要があり、そのために手間や時間がかかるという問題がある。
【課題を解決するための手段】
【０００５】
本考案は以上の点を解決するために次のような構成を採用する。
同じ大きさと形をした２つの板を少し間隔をあけて柔軟性のあるシートで接着し、接続する。一方の板の上に伸縮性に富んだスポンジ性のクッション材を取り付け、他方の板を「てこ」の原理を使ってそのクッション材を挟み込み、圧力を加えた状態を保ったまま閉じて固定することができるようバックルのついたバンドを取り付ける。
【考案の効果】
【０００６】
本考案の携帯用クッションには次のような効果がある。
２つの板を「てこ」の原理を使って、中にあるスポンジ性のクッション材を挟み込んで圧力を加え、バックルのついたバンドにより、閉じて固定することができるので、体積が著しく圧縮され、持ち運ぶ際の利便性が大幅に増す。また、スポンジ性のクッション材は圧力がなくなれば、一瞬にして元どおりに膨らみ、そのために手間や時間がかかることもない。
【図面の簡単な説明】
【０００７】
【図１】この考案の構成の具体例を示す図面代用写真である。
【図２】この考案の構成を横から見た状態の具体例を示す図面代用写真である。
【図３】この考案の構成で携帯するために閉じた状態を上から見た場合の具体例を示す図面代用写真である。
【図４】この考案の構成で携帯するために閉じた状態を横から見た場合の具体例を示す図面代用写真である。
【図５】この考案の構成で使用したときの状態を上から見た場合の具体例を示す図面代用写真である。
【図６】この考案の構成で使用したときの状態を横から見た場合の具体例を示す図面代用写真である。
【図７】この考案の構成で使用したときの状態を斜め上から見た場合の具体例を示す.
【考案を実施するための形態】
【０００８】
以下、本考案を図の具体例を用いて詳細に説明する。
【実施例】
【０００９】
実施例
図１および図２に、本考案のクッションの具体例を示す。
縦３０ｃｍ横２０ｃｍの２つの板（板A ５および板B ６）を約３ｃｍの間隔をあけてゴムシート２の上に接着し、接続する。板A ５の真ん中に高さ１０ｃｍのスポンジ状のクッション１を取り付け、さらに板A ５の端にバックル３およびバンド４を取り付ける。
以上の携帯用クッションは次のようにして使用する。
持ち運ぶときは、図３および図４のように板A ５と板B ６を「てこ」の原理を使ってクッション１を挟み込み圧力を加えて圧縮し、バックル３およびバンド４を使って閉じる。これにより、全体の体積は約3分の1にまで圧縮される。クッションとして使用する際はいったんバックル３を外して圧力を解放すると、スポンジ状のクッション１は一瞬にして元通りに膨らむので、図５、図６および図７のように板B ６を180度回転させ、板A ５と板B ６を背中あわせにして使用する。
【産業上の利用可能性】
【００１０】
以上のように、この考案の携帯用クッションは、トレッキングや登山で、休息をとるために硬い石や岩のところに腰かけたりするときにクッション性を損なうことなく、また荷物としてもかさばることなく、鞄やリュックサック等に入れて持ち運ぶことに適している。
【符号の説明】
【００１１】
1 スポンジ
2 ゴムシート
3 バックル
4 バンド
5 板A
6 板B
【図１】
0003197447.tif 000003
【図２】
0003197447.tif 000004
【図３】
0003197447.tif 000005
【図４】
0003197447.tif 000006
【図５】
0003197447.tif 000007
【図６】
0003197447.tif 000008
【図７】
0003197447.tif 000009
【手続補正書】
【提出日】平成27年3月8日(2015.3.8)
【手続補正１】
【補正対象書類名】実用新案登録請求の範囲
【補正対象項目名】全文
【補正方法】変更
【補正の内容】
【実用新案登録請求の範囲】
【請求項１】
同じ大きさの２つの板を柔軟性のあるシートの上に少し間隔をあけて接着し、一方の板の上に伸縮性に富んだスポンジ性のクッション材を取り付け、他方の板には、「てこ」の原理を使ってその中のスポンジ性のクッション材を挟み込み、固定することができるようバックルのついたバンドを取り付けたことを特徴とする携帯用クッション。
(57)【要約】      （修正有）【課題】仮に転倒して机やテーブル等の家具の角、凸の部分に体の一部を強く打ちつけたとしても、大きな事故に至らない角、凸部分カバーを提供する。【解決手段】蛍光塗料を含んだ球状のシリコンまたはゴムの球体１を角、凸の部分に被せることで、私たちがそこに体の一部を強く打ちつけたとしても安全なクッションとして、また、夜間は角、凸の部分や家具の位置を示す蛍光マーカーとして機能する角、凸部分カバー。【選択図】図１
0003197444.tif 000002
【実用新案登録請求の範囲】
【請求項１】
生活空間に存在する角（凸）の部分を蛍光塗料を含んだ球状のゴムやシリコンなどの衝撃吸収性及び可塑性に優れた素材で被覆する。
【考案の詳細な説明】
【技術分野】
【０００１】
本考案は、私たちの生活空間に必ずと言ってよいほど存在する角（凸）の部分を、蛍光塗料を含んだシリコンないしゴムで覆ってしまうことで、より安全で快適な生活を実現しようとするものである。
【先行技術文献】
【特許文献】
【０００２】
【特許文献１】特許出願２０１１−２０３３８  特許公開２０１２−１５３１２９
【考案の概要】
【考案が解決しようとする課題】
【０００３】
私たちの身の回りには、角（凸）の部分がたくさんある。本棚やテーブル、勉強机、階段、流し台など、挙げれば枚挙にいとまがない。私たちはその角（凸）の部分が機能的な設計やデザインの結果であることを知ってそれらを使用している。しかしながら、角（凸）の部分は私たちの加齢による認知能力の衰えや、若年者の経験量の不足から生じる不注意、又は照度の不足によって、時として容易に私たちを傷つける凶器に早変わりする。
そこで本考案では、私たちの生活の端々にあまねく存在する角（凸）の部分に注目し、いかに私たちのライフスパンを通して安全で快適なものとするかを課題とした。
【課題を解決するための手段】
【０００４】
蛍光塗料を含んだボール状のシリコン塊、あるいはゴム塊を角（凸）の部分に被せることで、私たちがそこに体の一部を強く打ちつけたとしても安全なクッションとして、また、夜間は角（凸）の部分や家具の位置を示す蛍光マーカーとして機能する角（凸）部分カバーを考案することで、本課題を解決する。
【考案の効果】
【０００５】
本考案の使用者は、仮に転倒して机やテーブル等の家具の角（凸）の部分に体の一部を強く打ちつけたとしても、大きな事故に至らない。また、夜間には蛍光塗料により家具の位置が浮かび上がるので、照度の不足による認知能力の低下を補い、より安全で快適な生活を実現することができる。
【図面の簡単な説明】
【０００６】
【図１】本考案の概念図である。本考案は、シリコンやゴムのような衝撃吸収性及び可塑性の高い素材で作られた球体で、さらにその一部が危険と想定される角（凸）の部分の形（円筒形や円錐形）に切ってある。また、いくつかのサイズに分かれているので、装着する際の自由度は高い。
【図２】本考案の実施の形態である。家具などの角（凸）の部分に被せて接着できるようになっている。
【符号の説明】
【０００７】
１  ゴムまたはシリコンの球体
２  角部又は凸部に合わせて切り取られており、接面に接着できるようになっている。
【図１】
0003197444.tif 000003
【図２】
0003197444.tif 000004
【手続補正書】
【提出日】平成27年3月5日(2015.3.5)
【手続補正１】
【補正対象書類名】実用新案登録請求の範囲
【補正対象項目名】全文
【補正方法】変更
【補正の内容】
【実用新案登録請求の範囲】
【請求項１】
生活空間に存在する角または凸の部分を、蛍光塗料を含んだ球状のゴムやシリコンなどの衝撃吸収性及び可塑性に優れた素材で被覆することを特徴とする角、凸部分カバー。
(57)【要約】      （修正有）【課題】防水、防蟻効果を併せ持つ高濃度ホウ酸塩被膜を有する建築基礎材を提供する。【解決手段】鉄筋コンクリート４や木材等を用いた建築基礎材において、防水加工面１の上から高濃度のホウ酸塩系の塗布剤を塗布又は吹付けて十分に浸透させた上で、更に重ね合わせ塗布（吹付け）して、ホウ酸塩被膜２を形成する。【選択図】図１
0003197448.tif 000002
【実用新案登録請求の範囲】
【請求項１】
建築基礎材として利用される防水加工材の表面に、高濃度のホウ酸塩溶液をたっぷり塗布して十分に吸収させた上で、再度もしくは複数回重合塗布して高濃度ホウ酸塩の被膜を作り出し、基礎がコンクリート打設の場合は、コンクリート表面への塗布と併用し、この被膜によって防蟻用の強力な接触毒・忌避性を持たせ、且つ蟻道構築をもさせないことを特徴とする新しい防水＆防蟻効果を併せ持つ建築基礎材。
【考案の詳細な説明】
【技術分野】
【０００１】  本考案は、建築基礎材に防水及び防蟻の複合的効果を持たせることに関する。
【背景技術】
【０００２】  建築基礎材の防水加工は、塗布剤やフィルム貼り等様々な形で広く行われている。防蟻については、ベタ基礎を含むコンクリート基礎打設によって大まかな対策がとられているが、防水加工材に防蟻加工を施した大きな実績はほとんど聞かれない。日本の戦後の住宅建築においては防腐・防蟻処理剤（白蟻駆除剤）という化学的な防腐防蟻剤を加圧注入した木材が広く使われてきた。建造物のベタ基礎から全面コンクリート打設が一般化することによって、それ以前に比べれば白蟻被害は大幅に減ってきているとはいうものの、コンクリート基礎の防水材そのものの防蟻対策は芳しくない状況が続いている。
建造物用コンクリート基礎打設に際し、防白蟻薬剤処理された発泡ポリスチレンを型枠材に使用してコンクリートを打ち、その該型枠を取り除くことなくそのままコンクリートと密着一体化させて複合コンクリート基礎とする方法も知られている（特許文献１参照）。
【先行技術文献】
【特許文献】
【０００３】
【特許文献１】  特許公開２００１−２２０８３７号  公報
【考案の概要】
【考案が解決しようとする課題】
【０００４】  化学的な木材保存剤を加圧注入した建築作業過程で切断したり穿孔したりした場合に、そこの表面に薬剤が浸透していない。人体に有害な化学物質による健康被害の危険性という厄介な問題もつきまとってきた。特許文献１に示される先行技術は、一般的な防白蟻薬剤処理された発泡ポリスチレンを基礎コンクリートの型枠材として利用し、コンクリートが固まった後もその型枠を取り外さないことによって防蟻対策としているのであるが、防水加工材に施された防白蟻対策ではなく、且つ化学物質の人体への負の影響を考慮していない。  平成２５年２月に（社）日本木材保存協会は、米国ナイサス社の防腐防蟻薬剤ボラケアを認定薬剤とした。ボラケアはホウ酸系木材保存剤であり、ホウ酸は米国環境保護庁（Ｕ．Ｓ．ＥＰＡ）に認可されている数少ない木材保存剤である。木材に深く浸透し、長期に亘り防蟻・防虫・防カビ・防腐の効果があって、人畜への危険性も少なく、欧米各国に広く普及し、オーストラリア・ニュージーランド等では６０年以上の実績ある防腐防蟻剤として知られる。現在ボラケアの他同類各種のホウ酸系保存剤が市場に出ており、こうした保存剤の建築基礎材への応用が求められるところである。
本考案は、以上のような問題点を解決しようとするものである。
【課題を解決するための手段】
【０００５】  建築基礎材として利用される防水加工材の表面に、高濃度のホウ酸塩溶液をたっぷり塗布して十分に吸収させる。その上で再度もしくは複数回重合塗布して高濃度のホウ酸塩被膜を作り出す。基礎がコンクリート打設の場合は、基礎コンクリート表面への防水材加工の上に重合塗布し、この被膜によって防蟻用の強力な接触毒・忌避性を持たせ、且つ蟻道構築をもさせない。
以上を特徴とする新しい防水＆防蟻効果を併せ持つ建築基礎材である。
【考案の効果】
【０００６】  これまで、防水加工材表面に、防蟻の十分な効果を持つようなホウ酸塩被膜を作ることはできないと思われてきたが、実験により、一度十分にホウ酸塩を浸透させた上で再度重合塗布すれば、しっかりした被膜ができることが確かめられた。国際的にも確証されているホウ酸塩を、コンクリート基礎への塗布と併せて、建築木材そのものの防水・防蟻の処理加工も実現し、より一層の安心できる住宅の建設提供が可能となり、住宅建設販売における新しい需要拡大のきっかけともなる。
【図面の簡単な説明】
【０００７】
【図１】  本考案を利用した建築基礎材の構造を示すイメージ断面図
【考案を実施するための形態】
【０００８】  以下、本考案の実施の形態を説明する。
建築基礎材として利用される防水加工材の表面に、高濃度のホウ酸塩溶液をたっぷり塗布して十分に吸収させる。その上で再度もしくは複数回重合塗布して高濃度のホウ酸塩被膜（２）を作り出す。基礎がコンクリート（４）打設の場合は、基礎コンクリート（４）表面の防水加工材（１）の上に重合塗布し、この被膜によって防蟻用の強力な接触毒・忌避性を持たせ、且つ蟻道構築をもさせない。図１に示されるのは、鉄筋（３）を内部に埋設した基礎コンクリート（４）の表面が防水加工材（１）で処理され、その上から防蟻用の高濃度ホウ酸塩を二重に重ね塗りした状態をイメージ的に示す断面図である。
【符号の説明】
【０００９】（１）防水加工材、    （２）ホウ酸塩被膜、    （３）鉄筋、    （４）コンクリート
【図１】
0003197448.tif 000003
(57)【要約】      （修正有）【課題】首、肩、腕、足等の力を加えにくかった指圧部位を、より効果的に指圧できるように、長方形の板に揉み玉を多数取り付けた脚立型指圧器を提供する。【解決手段】長方形の板１に円筒形の揉み玉２を取り付け、中央板３の両端に蝶番４で接続した脚立型指圧器を特徴とする。【選択図】図２
0003197449.tif 000002
【実用新案登録請求の範囲】
【請求項１】
内面に円筒形の揉み玉［２］を取り付けた長方形の板（１）２枚を中央板（３）の両端に蝶番（４）で接続した脚立型指圧器。
【考案の詳細な説明】
【技術分野】
【０００１】この考案は、複数の揉み玉が取り付けられた長方形の板２枚を中央の角板に接続した脚立型指圧器に関するものである。
【背景技術】
【０００２】従来の指圧器は人が仰向けになって背中や腰に器具の揉み玉を押し当てるようになっていた。
【先行技術文献】
【特許文献】
【０００３】
【考案の概要】
【考案が解決しようとする課題】
【０００４】これには次ぎのような欠点があった。
従来の仰向け使用型の指圧器は押す力を、人の体重に依存しているので体重をかけにくい部位である肩や首、腕、足等には使用困難な面が多かった。
本考案は以上のような欠点を改善するためになされたものである。
【課題を解決するための手段】
【０００５】２枚の長方形の板（１）に揉み玉（２）を取り付け、中央板（３）の両端に蝶番（４）で接続する。
本考案は，以上の構成よりなる脚立型指圧器である。
【考案の効果】
【０００６】２枚の長方形の板に揉み玉が多数取り付けられているので、人体のあらゆる部位を挟んで指圧することが可能になり器具による指圧の有効性が高まった。
【図面の簡単な説明】
【０００７】
【図１】  本考案の正面図である。
【図２】  本考案の側面図である。
【考案を実施するための形態】
【０００８】以下、本考案を実施するための形態について説明する。
長方形の板（１）の内面に円筒形の揉み玉［２］を複数取り付ける。
中央板（３）の両端に長方形の板［１］２枚を蝶番（４）で接続する。
本考案は以上のような構造である。
これを使用するときは、器具の末梢端を両手で掴んで拡げ、指圧部位を適度な強さで挟みながら器具を開閉あるいは上下させればよい。
【符号の説明】
【０００９】    １  長方形の板
２  円筒形の揉み玉
３  中央板
４  蝶番
【図１】
0003197449.tif 000003
【図２】
0003197449.tif 000004
(57)【要約】      （修正有）【課題】マグカップ、コーヒーカップ等で飲料を攪拌するためのスプーンやマドラーの置き場所を必要とせず、且つ衛生的に使用できるスプーンまたはマドラーを提供する。【解決手段】スプーン、マドラーの柄部中心付近をそり返し形状または折り曲げできる構造にし、柄部先端を二股形状または二股構造にすることにより、カップの取っ手部に挟み込めるようにした。【選択図】図３
0003197687.tif 000002
【実用新案登録請求の範囲】
【請求項１】
スプーンまたはマドラーの柄部先端を二股形状または二股構造とするもの。
【請求項２】
スプーンおよびマドラーの本体柄部中心付近を反り返し形状または折りたたみ構造とするもの。
【考案の詳細な説明】
【技術分野】
【０００１】  本考案は、柄部先端を二股形状にし、カップ等の取っ手部に着脱できるスプーンおよびマドラーに関するものである。
【背景技術】
【０００２】  カップ等の飲料を攪拌する時にスプーンやマドラーを使用し、使用後はソーサーに置いていた。
【考案の概要】
【考案が解決しようとする課題】
【０００３】  コーヒーカップ等の飲料を攪拌する時にスプーンやマドラーを使用する、また、オフィスなどで使用する個人用マグカップ等には受け皿が無いため、使用後のスプーンやマドラーを置いておくことができない。また、スプーンやマドラーをカップ内に入れたままだと、飲料を飲む際に口元に滑り落ちてくるため、頬にあたりで邪魔である。
【課題を解決するための手段】
【０００４】  スプーンおよびマドラーの柄部中心付近をそり返し形状または折り曲げできる構造にし、なお且つ柄部先端を二股形状にすることにより、カップの取っ手部に挟み込みが可能でスプーンおよびマドラーをカップ等に保持することができる。
【考案の効果】
【０００５】  カップの取っ手部にスプーンまたはマドラーの柄部を固定することができるため、カップの受け皿が不要になる。また、飲料を飲む際にスプーンおよびマドラーが口元に滑り落ちることがなく、邪魔にならない。
さらにスプーンまたはマドラーをカップ内に保持したまま使用できるので衛生的である。
また、二股形状部をプラスチックや樹脂など本体そのものに柔軟性のあるもの、またはバネ効果のある金属類で構成することにより、より高い保持が可能である。
【図面の簡単な説明】
【０００６】
【図１】  カップ等の取っ手部に着脱できるスプーンおよびマドラーの本体
【０００７】
【図２】  実際にカップに取り付けた時の正面図
【０００８】
【図３】  実際にカップに取り付けた時の側面図
【図１】
0003197687.tif 000003
【図２】
0003197687.tif 000004
【図３】
0003197687.tif 000005
【手続補正書】
【提出日】平成27年3月17日(2015.3.17)
【手続補正１】
【補正対象書類名】実用新案登録請求の範囲
【補正対象項目名】全文
【補正方法】変更
【補正の内容】
【実用新案登録請求の範囲】
【請求項１】
スプーンまたはマドラーの柄部先端を二股形状または構造としたスプーンまたはマドラー。
【請求項２】
スプーンまたはマドラーの本体柄部中心付近を反り返し形状または折りたたみ構造を特徴とした請求項１記載のスプーンまたはマドラー。
(57)【要約】      （修正有）【課題】屏風の表装布地と展示物を四季、記念日などに随時簡単に入れ替えできる屏風を提供する。【解決手段】屏風形状の構造の表装を、屏風本体５と表装２の両側に面ファスナー又はホックを取り付け、随時屏風本体５から表装２を取り外し、自分好みの絵柄表装を交換出来る様にし、四季や記念日などに屏風の絵柄表装を取り換え、その表装の上に、好みの写真、絵画、文字、刺繍を貼り付ける。【選択図】図２
0003197690.tif 000002
【実用新案登録請求の範囲】
【請求項１】
屏風の表装を自分好みの布地に交換できる様に本体と表装布地に、マジックテープまたはホックを取り付け、随時表装布地を交換できる様にする。四季、記念日などに屏風の表装を取り換え、その表装の上に自分の好みの写真、絵画、文字、刺繍などを取り付け、展示物も入れ替えのできる美術屏風。
【考案の詳細な説明】
【技術分野】
【０００１】本考案は、屏風の表装に好みの布地をはり、その表装布地と屏風本体にマジックテープまたはホックを取り付け、随時表装布地を交換できる様にし、その表装に写真、文字、刺繍、絵画などを取り付け、取り外しのできる美術風屏。
【背景技術】
【０００２】屏風の表装に布地をはり、その表装布地と屏風本体にマジックテープまたはホックを取り付け、随時表装布の交換できる様にし、その表装に写真、文字、刺繍、絵画などを取り付け、取り外しのできる美術屏風。
【考案の概要】
【０００３】一般的な屏風の表装に、布をはり、その表装布地にマジックテープまたはフックを取り付け、季節、記念日などの好みの表装布地に交換できる様にし、その背景布地に写真、文字、刺繍、絵画の品を載せる美術屏風。
【考案が解決しようとする課題】
【０００４】屏風の表装を布地にして、随時布地を簡単に入れ替え出来る様にする。
【課題を解決する為の手段】
【０００５】本考案は、屏風の表装を布地布にして、その表装をマジックテープまたはホックなどを取り付け、随時表装と展示物の入れ替えの出来る美術屏風。
【考案の効果】
【０００６】本考案の表装の布地交換を随時可能にすることにより、屏風の背景布地の季節感または記念日など、自分の好きな表装を簡単に交換できる様にし、その上に写真、文字、刺繍、絵画などを取り付け、随時表装、展示物を変える事の出来る美術屏風にする。
【実施例】
【０００７】添付図面に従って実施例を説明する。１は縁、２は表装、３は展示物、４はマジックテープ、５は屏風本体、６は裏布地
【図面の簡単な説明】
【０００８】
【図１】本考案の屏風の表に、布地をはり、その背景布地と屏風本体にマジックテープを取り付けた実施例全体図である。
【図２】本考案の屏風内の詳細面図である。
【符号の説明】１    縁
２    表装、入れ替え可能な背景布地
３    展示物
４    マジックテープ
５    屏風本体
６    裏布地
【図１】
0003197690.tif 000003
【図２】
0003197690.tif 000004
【手続補正書】
【提出日】平成27年1月23日(2015.1.23)
【手続補正１】
【補正対象書類名】実用新案登録請求の範囲
【補正対象項目名】全文
【補正方法】変更
【補正の内容】
【実用新案登録請求の範囲】
【請求項１】
自分好みの表装柄生地に随時交換可能な屏風、一般的な屏風形状で構造の屏風の表装を、自分好みの柄生地と屏風本体に、面ファスナー又はホックを取り付け、随時表装の柄生地を交換できるようにし、四季や記念日などに屏風の表装を取り換え可能にし、その表装の上に自分好みの写真、絵画、文字、刺繍を貼り付け可能にする屏風。
【手続補正書】
【提出日】平成27年3月13日(2015.3.13)
【手続補正１】
【補正対象書類名】実用新案登録請求の範囲
【補正対象項目名】全文
【補正方法】変更
【補正の内容】
【実用新案登録請求の範囲】
【請求項１】
好みの絵柄表装に随時交換出来る屏風、屏風形状の構造の表装を、自分好みの絵柄生地表装に随時交換出来るように、屏風本体と絵柄表装の両側に面ファスナー又はホックを取り付け、随時屏風本体から表装を取り外し、絵柄表装を交換出来る様にし、四季や記念日などに屏風の絵柄表装を取り換え、その表装の上に、好みの写真、絵画、文字、刺繍を貼り付ける屏風。
(57)【要約】      （修正有）【課題】帽子に日除けの布やヘアーバンド、飾りなどを簡単に留めはずしできるようにしたチューリップ型の帽子を提供する。【解決手段】６枚の布を縫い合わせて作るチューリップ型の帽子であるがブリムからクラウン、クラウントップと縫い合わせていく時に、主にクラウン部分で  縫わないところ２を２〜３回作ることによってスリットを持つことを特徴とする。【選択図】図１
0003197688.tif 000002
【実用新案登録請求の範囲】
【請求項１】
６枚くらいの布を縫い合わせて作るチューリップ型の帽子であるがブリムからクラウン、クラウントップと縫い合わせていく時に、主にクラウン部分で  縫わないところを２〜３回作ることによってスリットを持つチューリップ型の帽子。
【考案の詳細な説明】
【考案の開示】
【技術分野】
【０００１】帽子の製作
【考案が解決しようとする課題】
【０００２】帽子に日除けの布やヘアーバンド、装飾などを簡単に留めたりはずしたりできるようにする。
【課題を解決するための手段】
【０００３】帽子に日除けの布やヘアーバンド、リボンなどの装飾を簡単に留めたりはずしたりできるように  縦の縫い目を利用してスリットを作った。
【考案の効果】
【０００４】ボタンホールとして利用して日除けの布などを留めつけることができる。
またヘアーバンドを通したり、連続した２箇所のスリットを使ってリボンなどを結ぶことができる。また、スリットがあることで風通しがよく涼しいと言う効果もある。
【図面の簡単な説明】
【図１】帽子のパーツの平面図である。
【符号の説明】１  隣のパーツと縫い合わす部分
２  縫わない部分
３  帽子のふち
【図１】
0003197688.tif 000003
【手続補正書】
【提出日】平成27年2月6日(2015.2.6)
【手続補正１】
【補正対象書類名】実用新案登録請求の範囲
【補正対象項目名】全文
【補正方法】変更
【補正の内容】
【実用新案登録請求の範囲】
【請求項１】
６枚の布を縫い合わせて作るチューリップ型の帽子であるがブリムからクラウン、クラウントップと縫い合わせていく時に、主にクラウン部分で  縫わないところを２〜３回作ることによってスリットを持つチューリップ型の帽子。
(57)【要約】【課題】飾り物が棒状体に対し着脱自在かつ揺動不能であり、飾り物が他の物に引かかり、或いは飾り物に力が加えられたときには該飾り物が棒状体から離脱するようにした棒状体用の装飾具を提供する。【解決手段】一部分に切欠部３を有する略Ｃ字状の弾性支持リング５に飾り物７を固定してなる棒状体用の装飾具１。飾り物７は棒状体９に取り付けるに適したものであれば、いかなる形状、大きさ、材質、色彩等を有するものであってもよい。飾り物７は、例えば、ハート形の板状体、円形板、花を模した板状体とする。【選択図】図２
0003197614.tif 000002
【実用新案登録請求の範囲】
【請求項１】
一部分に切欠部を有する略Ｃ字状の弾性支持リングに飾り物を固定してなることを特徴とする棒状体用の装飾具。
【考案の詳細な説明】
【技術分野】
【０００１】
本考案は、棒状体用の装飾具に関するものであり、例えば眼鏡のつる、鉛筆その他の筆記具等の棒状体に取り付けられる装飾具に係るものである。
【背景技術】
【０００２】
棒状体用の装飾具としては、実用新案登録第３１１５７４１号公報に示す後付け眼鏡アクセサリー（以下「従来の後付け眼鏡アクセサリー」という。）が知られている。この従来の後付け眼鏡アクセサリーは、略中央部を結束して一対のループを形成してなるゴム製吊下げ手段における一方のループに飾り物を吊り下げ、他方のループを眼鏡のつるに遊嵌するようにしたものである。
【先行技術文献】
【特許文献】
【０００３】
【特許文献１】実用新案登録第３１１５７４１号公報
【考案の概要】
【考案が解決しようとする課題】
【０００４】
上記従来の後付け眼鏡アクセサリーにおけるゴム製吊下げ手段は一対のループを備え、一方のループに飾り物を吊り下げ、他方のループを眼鏡のつるに遊嵌するようにしたものであるため、当該他方のループの上端から飾り物の下端までがかなりの長さになり、眼鏡の着用時に後付け眼鏡アクセサリーが大きく揺動し、眼鏡の着用者の顔ないし頭にしばしば当接するおそれがある。更に、眼鏡の着用時に後付け眼鏡アクセサリーにおける各ループないし飾り物が他の物に引かかったときでも、該後付け眼鏡アクセサリーは眼鏡のつるから直ちに外れるものではないため、眼鏡の着用者が怪我をし、或いは眼鏡が着用者から離脱して損傷するおそれもある。
【０００５】
本考案は、従来の後付け眼鏡アクセサリーにおける上述の如き問題を解決し、飾り物が棒状体に対し着脱自在かつ揺動不能であり、飾り物が他の物に引かかり、或いは飾り物に力が加えられたときには該飾り物が棒状体から離脱するようにした棒状体用の装飾具を提供しようとしてなされたものである。  
【課題を解決するための手段】
【０００６】
上記課題を解決するために、本考案は、下記の棒状体用の装飾具を提供するものである。
【０００７】
すなわち、本考案による棒状体用の装飾具は、一部分に切欠部を有する略Ｃ字状の弾性支持リングに飾り物を固定してなるものである。
【考案の効果】
【０００８】
本考案による棒状体用の装飾具は、一部分に切欠部を有する略Ｃ字状の弾性支持リングに飾り物を固定してなるものであり、該弾性支持リングを眼鏡のつる、鉛筆その他の筆記具等の棒状体に嵌着することにより、棒状体に取り付けられる。略Ｃ字状の弾性支持リングは棒状体に対し着脱自在である。また、該弾性支持リングを棒状体に嵌着したときには、該弾性支持リングに固定された飾り物は揺動不能となる。更に、飾り物が他の物に引かかり、或いは飾り物に力が加えられたときには、弾性支持リングは切欠部が拡大するように変形し、棒状体から離脱する。したがって、飾り物が他の物に引かかり、或いは飾り物に力が加えられたときに該飾り物が棒状体から離脱しないことに起因する上述の如き問題は生じない。
【図面の簡単な説明】
【０００９】
【図１】図１は、本考案による棒状体用の装飾具の一例を眼鏡のつるに取り付けた状態を示す斜視図である。
【図２】図２は、同上装飾具を眼鏡のつるに取り付けた状態を示す断面図である。
【図３】図３は、同上装飾具の別の一例を示す斜視図である。
【図４】図４は、本考案による棒状体用の装飾具の更に別の一例を鉛筆に取り付けた状態を示す正面図である。
【図５】図５は、同上装飾具を鉛筆に取り付けた状態を示す平面図である。
【図６】図６は、同上装飾具を示す背面図である。
【考案を実施するための形態】
【００１０】
符号１に示すものは、本考案による棒状体用の装飾具である。棒状体用の装飾具１は、一部分に切欠部３を有する略Ｃ字状の弾性支持リング５に飾り物７を固定してなるものである。弾性支持リング５は、全体が略Ｃ字状となるように一部分に切欠部３が形成された略環状体である。
【００１１】
弾性支持リング５は、例えばポリ塩化ビニル、ポリプロピレン、ポリエチレン等の弾性を有する合成樹脂により形成される。弾性支持リング５は、切欠部３が拡大・縮小する方向に変形する。弾性支持リング５を眼鏡のつる、鉛筆その他の筆記具等の棒状体９に嵌着したときには、弾性支持リング５は切欠部３が縮小した状態を維持し、棒状体９を締め付ける。弾性支持リング５を棒状体９から外す際には、該弾性支持リング９を切欠部３が拡大する方向に変形させる。
【００１２】
飾り物７は棒状体９に取り付けるに適したものであれば、いかなる形状、大きさ、材質、色彩等を有するものであってもよい。図１、図２に示す飾り物７ａはハート形の板状体であり、図３に示す飾り物７ｂは円形板であり、図４〜図６に示す飾り物７ｃは花を模した板状体である。飾り物７は、一例として接着剤により、棒状体９に固定する。
【符号の説明】
【００１３】
１  棒状体用の装飾具
３  切欠部
５  弾性支持リング
７  飾り物
７ａ  飾り物
７ｂ  飾り物
７ｃ  飾り物
９  棒状体
【図１】
0003197614.tif 000003
【図２】
0003197614.tif 000004
【図３】
0003197614.tif 000005
【図４】
0003197614.tif 000006
【図５】
0003197614.tif 000007
【図６】
0003197614.tif 000008
(57)【要約】      （修正有）【課題】食器類だけにとどまらず、水まわり部位、洗浄、摺洗を必要とする、あらゆる対象物に対して、傷を付けることなく、指、手の力の強弱に関わらず、落ち難い汚れを強力な洗剤を使わず、少ない洗剤液の量であっても、洗浄、摺洗でき、また、保持部、バンドの装飾により、美麗な意匠的効果が増し、心も潤うスポンジたわしを提供する。【解決手段】ネット地パイル地、綿や化繊などの布地が、発泡体を被包した本体１の両端を渡すよう、装飾した保持部バンド２が、縫着、接着されている。薄手の発泡体のサイズなどによりフィットするサイズに計算され、しっかりと掴めダイレクトに力を伝え、十分な摺洗、洗浄が可能になる。保持部バンドをレース、リボンなど本体と異なる色、模様、型を装飾し、色合いにより、美麗な外見を表出できる。【選択図】図１
0003197673.tif 000002
【実用新案登録請求の範囲】
【請求項１】
発泡体を被包し本体の両端を渡すかたちで装飾したバンドを取り付けたことを特徴とする、装飾バンド付スポンジたわし。
【考案の詳細な説明】
【技術分野】
【０００１】
本考案は、食器類や水まわり部位、洗浄、摺洗を必要とする対象物の汚れを落としたり、洗浄するために、家庭用、又は、業務用として用いられる、
たわしに関するものである。
【背景技術】
【０００２】
従来より、食器洗い等、水まわり部位、洗浄、摺洗を必要とする対象物の汚れを落としたり、洗浄などに用いるスポンジたわしとして、
正方形及び、だ円形及び、丸形など様々な形態のものが有るが、ネットが発泡体を被包したもの、または発泡体そのものが露呈されてなるスポンジたわしが
汎用されている。
【先行技術文献】
【特許文献】
【０００３】
【特許文献１】特開２０１３−２０２３９８号公報
【特許文献２】実登３０６１４７８号公報
【特許文献３】実開昭６１−０５４７４４号公報
【考案の概要】
【考案が解決しようとする課題】
【０００４】
外見的にも単調になりがちであった、従来のスポンジたわしは、保持部、バンドが無かったり、保持部、バンドが有るものであっても、大きさが大きかったり、
厚さが厚かったりで狭い部分が洗浄しにくく、使い難い。
【０００５】
従来のスポンジたわしは、スポンジたわし本体を、しっかりと手で掴んで持ち、摺洗、洗浄を行う。
そのため、指、手の力が弱い等の場合、スポンジたわしに、しっかりと力を加えられず、十分な摺洗、洗浄が難しかった。
【０００６】
また、厚みが厚く、大きなスポンジたわし等は、水はけも、あまり良くなく不衛生になりがちである。
【課題を解決するための手段】
【０００７】
本考案は、スポンジたわし本体の大きさ、保持部、バンドの長さが、スポンジたわしと保持部、バンドの間に手を通したとき、
手にフィットし使い勝手が良く、スポンジたわしからの力をダイレクトに洗浄対象物に加えることができ、保持部、バンドを装飾することにより、
良好な意匠的効果を備え心豊かに潤う、良好な意匠的効果を備える、スポンジたわしを提供することを目的とする。
【考案の効果】
【０００８】
本考案の保持部、バンド付きスポンジたわしは、スポンジたわし本体に、両端を渡すよう、装飾した保持部、バンドが、縫着、接着されている。
発泡体のサイズ等、手に、よりフィットするよう計算されているため、手、指の力の強弱に関わらず、しっかりと手に掴むことができ、
よりダイレクトにスポンジたわしに、力を伝えることができる。
【０００９】
保持部、バンドを装飾することにより、単調になりがちなスポンジたわしの外見においても、色合いにより美麗な外見を表出できる。
【図面の簡単な説明】
【００１０】
【図１】図１は本考案の装飾バンド付きスポンジたわし、全体斜視図である。
【図２】図２は本考案の装飾バンド付きスポンジたわし、使用例１である。
【図３】図３は本考案の装飾バンド付きスポンジたわし、使用例２である。
【考案を実施するための形態】
【００１１】
本考案のスポンジたわしは、図１が示すように、ネット地、パイル地、綿、化繊  等の布地が薄手の発泡体を被包し、
スポンジたわし両端を渡すかたちで縫着、接着されたレース、リボン等をはじめとした本体と異なる、色、模様、形のものを装飾した保持部、バンドと、
本体との間に手を入れ使用する。
図２、図３のように各自の手の大きさにより、指を３本ないし４本をスポンジたわし本体と、保持部、バンドの間に入れることができ、使用することができる。
【実施例１】
【００１２】
図１に示すように、ネット地、パイル地、綿、化繊  等の布地が薄手の発泡体を被包し、スポンジたわし両端を渡すかたちで縫着、接着された、
装飾をほどこした保持部、バンドにより、これをベース地となす。
【００１３】
上記のように構成された本考案のスポンジたわしは、食器類や水まわり部位、洗浄、摺洗を必要とする対象物に、傷を付けることなく、
さらに、指、手の力の強弱に関わらず、落ち難い汚れを洗浄、摺洗できるとともに、従来の単調になりがちで味気ない外見の、スポンジたわしに
保持部、バンドを華やかな装飾をすることにより、美麗で良好な意匠的効果を備え、心も潤う事を目的としたものである。
【００１４】
さらに、本体内の発泡体の取り替え、保持部、バンドの開閉、保持部  バンドの取り替えなども可能であり、
より衛生的で使いやすい事が目的としたものである。
【産業上の利用可能性】
【００１５】
この考案は、上記の通り構成されているので、食器類だけにとどまらず、水まわり部位、洗浄、摺洗を必要とする、あらゆる対象物に対して、
傷を付けることなく、指、手の力の強弱に関わらず、落ち難い汚れを強力な洗剤を使わず、少ない洗剤液の量であっても、洗浄、摺洗でき、
また、保持部、バンドの装飾により、美麗な意匠的効果が増し、心も潤うスポンジたわしを提供することが出来るのである。
【符号の説明】
【００１６】
１  スポンジたわし本体
２  バンド  
【図１】
0003197673.tif 000003
【図２】
0003197673.tif 000004
【図３】
0003197673.tif 000005
(57)【要約】      （修正有）【課題】胸リボンの衣服への着脱を安全且つ容易にし、且つ使用後の後処理を簡便にする胸リボンシールを提供する。【解決手段】胸リボンの上部に花柄等１、下部には名前等を記入する余白部分を含めたデザイン２をタック紙に印刷し、抜き型により型抜きをすることにより衣服を傷めず且つ安全に貼付することを可能とし、また使用後の後処理を簡便にすることに役立つ。【選択図】図１
0003197604.tif 000002
【実用新案登録請求の範囲】
【請求項１】
胸リボンの上部に花柄等を平面デザインし、下部には名前等を記入する余白部分を配置したデザインをタック紙に型抜き印刷することで、シール形状の胸リボンとすることにより衣服への損傷を防ぎ着脱を安全かつ容易にし、使用後の後処理を簡便にしたところを特徴とする胸リボンシール。
【考案の詳細な説明】
【技術分野】
【０００１】  本考案は、式典やイベント等で来賓客、列席者等の衣服に貼付する胸リボンシールに関するものである。
【背景技術】
【０００２】  従来の胸リボンは生地を裁断し立体的なバラ等の形状に加工して、裏側に安全ピン、金具等を取り付け衣服に留めている。
【先行技術文献】
【特許文献】
【０００３】
【特許文献１】  実登３０８５０７３号  公報
【考案の概要】
【考案が解決しようとする課題】
【０００４】  従来の安全ピン、金具等で衣服に留める方法では衣服の生地に穴が開くなど、衣服を傷める可能性もあった。また、子供に使用する場合には安全性に配慮する必要も生じる。貼付した胸リボンは回収する必要もあり使用後の処理にも手間を掛ける必要があった。従って、胸リボン本体をタック紙に印刷することにより前述の欠点を解決しようとするものである。
【課題を解決するための手段】
【０００５】  本考案は、胸リボン上部にバラ等の絵柄、下部に名前等を記入する余白を平面デザインし、タック紙に印刷し型抜きすることにより、付属物を使用せず衣服に貼付すことが可能になり、且つ使用後の処分も簡便とすることができるようになり問題点を解決している。
【考案の効果】
【０００６】  上述の様に、本考案の胸リボンは平面デザインをタック印刷することにより、衣服を傷つけることなく安全に貼付するこが可能となり、使用後に剥がした後の処理もより簡便なものとなる。
【図面の簡単な説明】
【０００７】
【図１】本考案の平面デザイン例を示す正面図である。
【図２】本考案の印刷方法を示す断面図である。
【図３】本考案の印刷面の抜き型例を示す図である。
【図４】本考案の胸リボンシールの実施使用例である。
【考案を実施するための形態】
【０００８】  胸リボンの上部にはデザインされた花柄、または校章、ロゴマーク等、下部に名前等を記入する余白部分を配置したデザインをし，タック紙に型抜き印刷し剥離して、シール形状の胸リボンを衣服に安全且つ簡便に貼付し剥がすことができる。
【実施例】
【０００９】  以下、添付図面紙に従って実施例を説明する。１は平面にデザインされた絵柄等、２は名前等を記入する余白部分、図２は表面基材に粘着剤を使用して印刷した状態、７は図２の印刷物に抜き型加工するための抜き型、８は名入れ等した後の貼付け例である。
【産業上の利用可能性】
【００１０】  本考案は、胸リボンを製造する産業で利用される。
【符号の説明】
【００１１】  １  絵柄等の平面デザインの例
２  名前等を記入する余白部分の例
３  印刷加工面
４  表面基材
５  粘着剤
６  台紙
７  抜き型例
８  実施使用例
【図１】
0003197604.tif 000003
【図２】
0003197604.tif 000004
【図３】
0003197604.tif 000005
【図４】
0003197604.tif 000006
(57)【要約】      （修正有）【課題】使用時にズレることなく安定して使用できる指受部一体付毛抜きを提供する。【解決手段】挟持体２の上挟持片３と下挟持片４に、指受部５、６を一体に設ける。指受部が、表面波形で楕円形であり、上挟持片と下挟持片の先端を斜状に形成されているのが好ましい。【選択図】図１
0003197605.tif 000002
【実用新案登録請求の範囲】
【請求項１】
挟持体の上挟持片と下挟持片に、指受部を一体に設けてなることを特徴とする指受部一体付毛抜き。
【請求項２】
指受部が、表面波形で楕円形であることを特徴とする請求項１記載の指受部一体付毛抜き。
【請求項３】
上挟持片と下挟持片の先端を斜状に形成してなることを特徴とする請求項１又は２記載の指受部一体付毛抜き。
【考案の詳細な説明】
【技術分野】
【０００１】  本考案は、安定して毛抜きができるための指受部一体付毛抜きに関するものである。
【背景技術】
【０００２】  従来の技術としては、二片の先端側にて被挟持物を挟持可能に形成された挟持具本体の少なくとも一方の外側に指を当接可能な押圧体が設けられてなることを特徴とする毛抜き等の挟持具がある。（特許文献１参照）【０００３】  また、別の従来の技術として、本体の先端に切込をつけたもので、先端にスベリ止めのみぞを設ける、先端に毛止めのゴムパイプを差し込んだもの、以上のごとく構成された、白毛抜きピンセットがある。（特許文献２参照）
【先行技術文献】
【特許文献】
【０００４】
【特許文献１】  実開平２−２２７０７号公報
【特許文献２】  実開昭６２−３０７０６号公報
【考案の概要】
【考案が解決しようとする課題】
【０００５】  前記前者は、一般に市販されている毛抜きに、後付にて押圧体を取り付けてなるもので、サイズが合わないものもあると思われます。【０００６】  前記後者も同時に、一般に市販されている毛抜きに、ゴムパイプを差し込むもので、使用時にズレてしまうことがあり、実用的ではない。【０００７】本考案は、上記問題に鑑みなされたもので、挟持体（挟持片）に指受部を一体に設けることにより、安定して使用できることの指受部一体付毛抜きを提供することを目的とする。
【課題を解決するための手段】
【０００８】前記目的を達成するため、本考案は、挟持体の上挟持片と下挟持片に、指受部を一体に設けてなること。指受部が、表面波形で楕円形であること。上挟持片と下挟持片の先端を斜状に形成してなることを特徴とする。
【考案の効果】
【０００９】１）、挟持体（上挟持片と下挟持片）に、指受部を一体に設けることにより、安定して、確実に毛抜きができる。
２）、指受部を楕円形とし、表面を波形とすることにより、ズレることなく、より安定して使用できる。
３）、上挟持片と下挟持片の先端を斜状に形成することにより、特に鼻の内部の側面等の毛抜きに有効です。
【図面の簡単な説明】
【００１０】
【図１】  本考案の第１実施例を示す指受部一体付毛抜きの正面図。
【図２】  本考案の第１実施例を示す指受部一体付毛抜きの平面図。
【図３】  本考案の第２実施例を示す指受部一体付毛抜きの要部の平面図。
【考案の実施するための形態】
【００１１】  指受部一体付毛抜き１は、プラスチック形成にて加工してなるもので、挟持体２の先端方向に設けた上挟持片３と下挟持片４に、表面を波形に形成し、外形を楕円形に形設してなる指受部５・６を一体に設けてなる。
なお、毛抜き部７の隙間Ｓ及び幅Ｈは、２．５ｍｍ位が望ましい。
また、必要に応じてひも（図示せず）を通して保管する孔Ｎを穿設してある。
【００１２】  指受部一体付毛抜き１の使用例について説明する。
毛抜き部７を必要な場所に位置させ、親指・人差し指（図示せず）を指受部５・６に置いて押圧することにより、安定・確実に毛を抜くことができる。
【００１３】  つぎに、第２実施例の指受部一体付毛抜きについて説明する。
この指受部一体付毛抜き２１は、毛抜き部２７の先端ＳＴを約４５°に斜状に形成してなるので、特に鼻の内部の毛抜きに適している。
【００１４】  前期書く実施例において、プラスチックの材質は特に限定するものではなく、大きさも必要に応じて決めればよい。
【産業上の利用分野】
【００１５】  基本的には毛抜きに使用するものですが、大きさ等を変えて魚の釣針の外し具等、色々考えられるものである。
【符号の説明】
【００１６】  １−−−指受部一体付毛抜き
２−−−挟持体
３−−−上挟持体
４−−−下挟持体
５−−−指受部
６−−−指受部
７−−−毛抜き部
【図１】
0003197605.tif 000003
【図２】
0003197605.tif 000004
【図３】
0003197605.tif 000005
(57)【要約】      （修正有）【課題】車の運転席前に、危険な突起物を置くことなく、運転の邪魔にならず安全な方法で照準器を投影させて運転席をコックピットにして楽しめる反射板を提供する。【解決手段】艶消し黒板５に、円形の照準環１、２を蛍光黄色（ガラス粉末入り）で描き、運転席前のダッシュボード上に置く。反射板となりフロントガラスに投影できる。前後を逆にすると正立し、あたかも、機銃の照準器を見ている様になる。【選択図】図１
0003197698.tif 000002
【実用新案登録請求の範囲】
【請求項１】
車のフロントガラスに、安全簡単に照準器を投影させる方法、艶消し黒板に蛍光黄色（ガラス粉末入り）で照準環を描き，ダッシュボード上に置き投影させ照準器とし、発射音の出る装置を組み合わせ、照準を合わせ、発射釦を押す。機銃の連射音の後の爆発音により、照準器と音の組み合わせで、あたかも、戦闘機の操縦席にいる様な高揚感があり運転席をコックピットにする。
【考案の詳細な説明】
【技術分野】
【０００１】車のフロントガラスに，照準器を投影させ、機銃の連射音を出すオモチャに関するものである。
【背景技術】
【０００２】光像式照準器と電子的に機銃音と爆発音を出すオモチヤがあった。
【先行技術文献】
【０００３】九八式射爆照準器（ゼロ戦に搭載）
【考案の概要】
【考案が解決しようとする課題】
【０００４】今まで光源もレンズも使わず簡単に車のフロントガラスに、照準器を投影させる方法が見つからなかった。
【課題を解決するための手段】
【０００５】  艶消し黒の板に、円形の照準環を蛍光黄色（ガラス粉末入り）で描き、運転席前のダッシュボード上に置くと、フロントガラスに投影する。照準板の前後を逆にすると正立し、あたかも、照準器を見ている様である。照準器以外の映り込みはなく、運転の邪魔にならない。投影する照準器は車外から見えず、発射音も聞こえず他人に、気付かれない。
【考案の効果】
【０００６】  標的を照準器に捉え、連射音と爆発音で気分爽快・ストレス解消・眠気防止・前方不注意の防止・楽しい。
【図面の簡単な説明】
【０００７】
【図１】  本発明の約２分の１の照準板の平面図で、縦２０ｃｍ、横９ｃｍ。
【図２】  本発明の約２分の１の発射音の出る装置（オモチャ）の斜視図で、縦７ｃｍ横３．８ｃｍ、厚１．５ｃｍ。
【考案を実施するための形態】
【０００８】  以下、本発明を実施するための形態について説明する。
縦２０ｃｍ横９ｃｍの艶消し黒の板に、蛍光黄色（ガラス粉末入り）で、幅２ｍｍで外環直径６．５ｃｍ・内環直径１．５ｃｍで照門を、中心部に照星と内環に接する十字線を描き、リアル感を出し、照準器を目の高さに、中心より５ｃｍ程度右寄りか左寄り（効き目側）に投影させるのが、正しい位置である。発射ボタンは、運転席前の任意の場所に貼り、押す。機銃の連射音の後の爆発音により気分爽快になる。本発明は，以上のような構造である。これを使用するときは、熱中し過ぎないことである。
【符号の説明】
【０００９】１  照門内環、直径１．５ｃｍ
２  照門外環、直径６．５ｃｍ
３  照星、    位置は、中心より１ｍｍ下
４  調整ねじ、照星の高さを変えるねじを模した部分
５  艶消し黒板、下が長いのは、フロントガラスとの間を保つため
６  音の出る溝、開口部
７  切り換え釦、（大砲・連射・単発）と切り替える
８  発射釦，
９  電池交換蓋
【図１】
0003197698.tif 000003
【図２】
0003197698.tif 000004
【手続補正書】
【提出日】平成27年3月4日(2015.3.4)
【手続補正２】
【補正対象書類名】実用新案登録請求の範囲
【補正対象項目名】全文
【補正方法】変更
【補正の内容】
【実用新案登録請求の範囲】
【請求項１】
艶消し黒板に、蛍光黄色で、照準環を描き車のダッシュボード上に置きフロントガラスに、照準器を投影させる反射板。